(57)【要約】  【課題】  軟質感を有し、各個人によって形状や大きさを調節できる胸用パッドを提供すること。  【解決手段】  防水性袋体の袋内に、ゲル状物を封入した胸用パッドを提供する。また、袋内にゲル状物が封入された防水性袋体と、袋体を被覆する伸縮可能な布材とを有する胸用パッドを提供する。前記ゲル状物には、保冷剤用ゲル状物を用いることができる。また、前記布材には、香り成分が付加してもよい。本考案により、実際の乳房と同様の軟質感を有し、装着した際の外観が自然な胸用パッドを提供することができる。  【選択図】  図１
0003104009.tif 000002
【実用新案登録請求の範囲】
【請求項１】
防水性袋体の袋内に、ゲル状物を封入した胸用パッド。
【請求項２】
袋内にゲル状物が封入された防水性袋体と、該袋体を被覆する伸縮可能な布材とを有する胸用パッド。
【請求項３】
袋内にゲル状物が封入された防水性袋体と、該袋体を被覆する伸縮可能な布材とを有する胸用パッドであって、前記ゲル状物には、保冷剤用ゲル状物を用いたことを特徴とする胸用パッド。
【請求項４】
袋内に保冷剤用ゲル状物が封入された防水性袋体を、伸縮可能な布材で被覆した胸用パッドであって、前記胸用パッドには、胸部に固定するための固定用部材が取り付けられていることを特徴とする胸用パッド。
【請求項５】
袋内にゲル状物が封入された防水性袋体を、伸縮可能な布材で被覆した胸用パッドであって、前記布材には、香り成分が付加されていることを特徴とする胸用パッド。
【考案の詳細な説明】
【技術分野】
【０００１】
本考案は、胸用パッドに関する。より詳細には、軟質感を有し、各個人によって形状や大きさを調節できる胸用パッドに関する。
【背景技術】
【０００２】
体のラインを良く見せる目的で、ブラジャーの内側にパッドを取り付ける場合がある。パッドを取り付けることにより、外観的に、胸部を大きく見えるようにしたり、胸部の形を良く見えるようにしたりすることができる。
【０００３】
従来のパッドは、予め、皿形や椀形等の固定した形状を持ち、皿状等のパッドを、ブラジャーの内側に設けられたスリットに入れたり、ブラジャーと胸部の間に挟んだりして用いられている。
【考案の開示】
【考案が解決しようとする課題】
【０００４】
前記の通り、従来のパッドは固定した形状を有するため、軟質感がなく不自然で、外観からパッドであると気づかれてしまう場合があった。また、パッドの形状が予め決められているため、個人によってそれぞれ異なるバスト形状に必ずしもフィットしない場合が多かった。
【０００５】
そこで、本考案は、軟質感を有し、各個人によって形状や大きさを調節できる胸用パッドを提供することを主な目的とする。
【課題を解決するための手段】
【０００６】
上記の技術的課題を解決するために、本考案では、まず、防水性袋体の袋内に、ゲル状物を封入した胸用パッドを提供する。
【０００７】
防水性袋体の袋内にはゲル状物を封入しているため、本考案に係る胸用パッドは、形状を比較的自由に変えることができ、また、実際の乳房と同様の軟質感・重量感を持つ。
【０００８】
前記ゲル状物には、例えば、保冷材用ゲル状物を用いることができる。保冷材用ゲル状物は市販されていて簡単に入手できるため、本考案に係る胸パッドを比較的容易に作製することが可能となる。
【０００９】
また、本考案では、袋内にゲル状物が封入された防水性袋体と、袋体を被覆する伸縮可能な布材とを有する胸用パッドを提供する。
【００１０】
胸用パッドを装着した場合、直接、パッドと胸部の肌面が接する。袋内にゲル状物が封入された防水性袋体を、伸縮可能な布材で被覆することにより、防水性袋体が直接肌面に接することによる不快感を解消することができ、また、パッドの触り心地を柔らかくすることができる。
【００１１】
さらに、前記胸用パッドには、胸部に固定するための固定用部材を取り付けることもできる。本考案に係る胸用パッドを、固定用部材を用いて、ブラジャーや衣類等に胸用パッドを固定することにより、胸用パッドが所定の装着部位から外れたり、移動したりすることを防止できる。
【００１２】
その他、前記布材には、香り成分を付加することができる。
【考案の効果】
【００１３】
本考案によって、実際の乳房と同様の軟質感を有し、装着した際の外観が自然な胸用パッドを提供することができる。
【考案を実施するための最良の形態】
【００１４】
以下、本考案を実施するための好適な形態について、添付図面を参照にしながら説明する。
【００１５】
図１は、本考案に係る胸用パッドＡの断面模式図である。図１の胸用パッドＡは、袋内にゲル状物１が封入された防水性袋体２と、該袋体２を被覆する伸縮可能な布材３と、前記布材３に取り付けられた固定用部材４と、からなる。
【００１６】
ゲル状物１は、一定の弾力性を持ち、ゲル状態を保持できるものであれば、特に限定されない。封入するゲル状物１の量を調節することにより、適宜、目的の大きさの胸用パッドを作製することができる。また、ゲル状物１を用いることには、防水性袋体２が破損した場合にも、液漏れによる胸部の汚損を最低限に抑えることができる利点がある。その他、本考案に係る胸用パッドＡは、ゲル状物１を用いているため、外観上、実際のバストとほぼ同様の重量感・質感を持つ。
【００１７】
ゲル状物１としては、例えば、カルボキシメチルセルロース・ヒドロキシエチルセルロース等の多糖類、ポリビニルアルコール、ポリアクリル酸ソーダ、ポリアクリルアミド、アルギン酸ソーダ等を、水に溶かしたものを用いることができる。
【００１８】
また、より簡単な方法として、市販されている保冷剤内にある保冷材用ゲル状物を取り出して用いることもできる。保冷剤用ゲル状物は、アイスノン（登録商標、株式会社白元）のように、常温下では適度な軟質性を有するため、本考案に係るゲル状物として適している。
【００１９】
防水性袋体２は、ゲル状物１が袋体２外に漏洩することを防止でき、袋体２内にゲル状物１を封入できる材料であれば、特に限定されないが、伸縮性・柔軟性を持ち、破れにくい材質のものが好ましい。
【００２０】
防水性袋体２の材質としては、例えば、ポリアミド樹脂（ナイロン樹脂）、ポリエステル樹脂、ポリウレタン樹脂、合成ゴム等を用いることができる。
【００２１】
ゲル状物１を防水性袋体２に封入する方法としては、例えば、袋体２内にゲル状物１を注入後、注入部位に粘着物質等を貼り付けて封入する、又は、注入部位を熱圧着して閉じる、等の手段を用いることができる。また、袋体２内にゲル状物１を入れた後、ひも状物質・輪ゴム等で、袋体２の入り口部分を縛り、ゲル状物１を縛る手段を用いてもよい。その他、ゲル状物質１の封入手段は、ゲル状物質１の漏洩を防止できるものであれば、特に限定されない。
【００２２】
布材３は、防水性袋体２を被覆できる伸縮可能な材料であれば、特に限定されないが、柔軟性に富み肌触りのよいもの、吸湿性・吸汗性を持つもの、通気性のよいものが好ましい。例えば、ポリウレタン弾性繊維等を用いることができる。
【００２３】
布材３には、固定用部材４を取り付けることができる。固定用部材４は、本考案に係る胸用パッドＡをブラジャー・衣服等に固定するための部材であり、固定手段を提供するものであれば、特に限定されないが、例えば、マジックテープ（登録商標、株式会社クラレ）、掛止フック等を用いることができる。固定用部材４を用いることにより、胸用パッドＡをブラジャーに固定することができ、運動時等に胸用パッドＡが所定の装着部位から外れたり、移動したりすることを防止できる。
【００２４】
その他、布材３には、香り成分を付加することができる。香り成分としては、例えば、香水等の液状体、化粧品等の粉状体等を利用することができる。
【００２５】
図２は、本考案に係る胸用パッドＡの装着部位を示した模式図である。
【００２６】
図２に示すとおり、胸用パッドＡは、ブラジャー５と胸部の肌面６との間に取り付けることにより、胸部を大きく見えるようにすることができる。本考案に係る胸用パッドＡは、軟質性を有するため、装着する人の個々の体型等にあわせて最もフィットする形状に自然に変化する。
【００２７】
図３は、本考案に係る胸用パッドＡを、乳癌手術後患者に装着した場合の模式図である。
【００２８】
図３に示すとおり、本考案は、例えば、乳癌摘出手術により片側の胸部の膨らみがなくなった人に用いることもできる。乳癌摘出手術を行った側の胸部の、ブラジャー５と胸部の肌面６との間に、本考案に係る胸用パッドＡを装着することにより、ブラジャー等装着時の両方のバストの大きさ・形状を整えることができ、外見上胸部の形を良く見せることができる。
【００２９】
図４は、バストアップを目的とする本考案に係る胸用パッドＡの別の態様の一例を示す模式図である。
【００３０】
本考案に係る胸用パッドＡは、大きさを適宜調節できるため、バストの大きな人、バストを強調したい人等にも適用できる。図４に示すように、小さめの胸用パッドＡを、ブラジャー５と胸部の肌面６の間の下方部に装着することにより、バストを上げた状態で固定できるため、バストを強調することが可能となり、また、胸部の形を良く見せることが可能となる。
【００３１】
図５は、本考案に係る胸用パッドＡを装着した女性の胸部全体の模式図である。
【００３２】
図５に示すとおり、本考案に係る胸用パッドＡをブラジャー５と胸部の肌面６との間に装着することにより、外観的に、胸部を大きく見えるようにしたり、胸部の形を良く見えるようにしたりすることができる。また、本考案に係る胸用パッドＡは、実際の乳房と同様の軟質感を持ち、装着した際の外観も自然である。
【産業上の利用可能性】
【００３３】
本考案に係る胸用パッドＡは、物品の形状等に関するものであり、製品として生産、使用できるものであるため、産業上の利用可能性がある。
【図面の簡単な説明】
【００３４】
【図１】本考案に係る胸用パッドＡの断面模式図。
【図２】本考案に係る胸用パッドＡの装着部位を示した模式図。
【図３】本考案に係る胸用パッドＡを、乳癌手術後患者に装着した場合の模式図。
【図４】バストアップを目的とする本考案に係る胸用パッドＡの別の態様の一例を示す模式図。
【図５】本考案に係る胸用パッドＡを装着した女性の胸部全体の模式図。
【符号の説明】
【００３５】
１  ゲル状物
２  防水性袋体
３  布材
４  固定用部材
５  ブラジャー
６  胸部の肌面
Ａ  胸用パッド
【図１】
0003104009.tif 000003
【図２】
0003104009.tif 000004
【図３】
0003104009.tif 000005
【図４】
0003104009.tif 000006
【図５】
0003104009.tif 000007